(57)【要約】      （修正有）【課題】従来台所に設置してあるレシピや骨法等を記載してある書類は汚損や紛失し易く、肝心な時に見ることができないということが多く、さらに、書類は実際の動作が解りずらく、量や嵩が増え、台所にあって非常にスペースをとってしまうものであったという点である。【解決手段】レンジは筐体の表面一部に画像表示部を設け、その画像表示部にディジタル記録媒体に記録された画像を表示させることとし、筐体の前面あるいは背面に前記したディジタル記録媒体の挿入及び排出口を形成し、筐体内にディジタル記録媒体のドライブ装置を備えていることとし、前記したディジタル記録媒体には記録内容を列記したコンテンツを有しており、テンキーによってその記録内容を選択し、画像表示部に表示を行なわせることとする。【選択図】図１
0003123305.tif 000002
【実用新案登録請求の範囲】
【請求項１】
筐体の表面一部に画像表示部を設け、その画像表示部にディジタル記録媒体に記録された画像を表示させることを特徴とするレンジ。
【請求項２】
筐体の前面あるいは背面に前記したディジタル記録媒体の挿入及び排出口を形成し、筐体内にディジタル記録媒体のドライブ装置を備えていることを特徴とする請求項１に記載のレンジ。
【請求項３】
前記したディジタル記録媒体は筐体の背面側から挿入され、密封されていることを特徴とする請求項１に記載のレンジ。
【請求項４】
前記したディジタル記録媒体には記録内容を列記したコンテンツを有しており、テンキーによってその記録内容を選択し、画像表示部に表示を行なわせることを特徴とする請求項１、請求項２または請求項３に記載のレンジ。
【請求項５】
前記したディジタル記録媒体には各種の調理レシピに加え、調理や器具の手入れ、食品保存等に関する種々の骨法が含められていることを特徴とする請求項１、請求項２、請求項３または請求項４に記載のレンジ。
【請求項６】
前記したディジタル記録媒体の選択される各画像は１分間以内に限定される動画であることを特徴とする請求項１、請求項２、請求項３、請求項４または請求項５に記載のレンジ。
【考案の詳細な説明】
【技術分野】
【０００１】
本考案はレンジ、特に民生用の調理や加熱に使用される電子レンジに関する。
【背景技術】
【０００２】
従来より、レンジ、特に電子レンジは民生用のものとして広く普及されており、この電子レンジは調理用具のため、家庭にあっては台所に設置されるのが一般的である。また、この電子レンジをはじめとするレンジ類（天火、コンロ等）を使用するか否かは別として、台所にはレシピ本、雑誌、切り抜き等が配置され、その書類を参考として調理をすることも多いが、時としてかかる書類は油等に塗れてしまい汚損されてしまったり、紛失してしまい、欲する時に見ることができないという事態も生じている。
【０００３】
また、料理は種類が多く、そのレシピも多岐に亘るため、書類としての保存は量や嵩が増え、非常にスペースをとってしまうこともあり、加えて、用具の手入れや保存、余った食品の保存、そして魚のさばき方法等、レシピとは別途の骨法に関しては情報も少なく、実際に戸惑ってしまうことも多かった。
【特許文献１】特開２００２−２１７９２２号公報
【考案の開示】
【考案が解決しようとする課題】
【０００４】
本考案が解決しようとする問題点は、従来台所に設置してあるレシピや骨法等を記載してある書類は汚損や紛失し易く、肝心な時に見ることができないということが多く、さらに、書類は実際の動作が解りずらく、量や嵩が増え、台所にあって非常にスペースをとってしまうものであったという点である。
【課題を解決するための手段】
【０００５】
この問題点を解決するために、本考案に係るレンジは筐体の表面一部に画像表示部を設け、その画像表示部にディジタル記録媒体に記録された画像を表示させることを特徴とし、筐体の前面あるいは背面に前記したディジタル記録媒体の挿入及び排出口を形成し、筐体内にディジタル記録媒体のドライブ装置を備えていることを特徴とし、前記したディジタル記録媒体は筐体の背面側から挿入され、密封されていることを特徴としている。
【０００６】
また、本考案に係るレンジは前記したディジタル記録媒体には記録内容を列記したコンテンツを有しており、テンキーによってその記録内容を選択し、画像表示部に表示を行なわせることを特徴とし、前記したディジタル記録媒体には各種の調理レシピに加え、調理や器具の手入れ、食品保存等に関する種々の骨法が含められていることを特徴とし、前記したディジタル記録媒体の選択される各画像は１分間以内に限定される動画であることを特徴としている。
【考案の効果】
【０００７】
本考案に係るレンジは上記のように構成されている。レンジの筐体の外面一部、特に前面に画像、それも動画表示部を設け、ディジタル記録媒体からの動画情報を見ることができるため、このレンジを使用する場合は勿論、使用しないレシピにあっても見たい時は即時見ることができ、時間的、あるいはスペース的な無駄を一切省くことができることとなる。
【０００８】
加えて、各種の骨法も表示されるため、調理に先立っての準備や終了した後の用具や食材の処理についても無駄なく、誤りなく実行することができることとなる。
【０００９】
さらに、動画の表示は１分間にまとめられているためコンパクトで冗長にすぎず、いわゆるポイントのみのため、非常に判りやすくなり、一枚のディジタル記録媒体の内容が順番に整理されているので、探索も行ない易いものとなっている。
【考案を実施するための最良の形態】
【００１０】
図面として示す実施例のように構成することで実現した。
【実施例１】
【００１１】
次に、本考案の好ましい実施の一例を図面を参照して説明する。図１は本考案を実施した電子レンジを示す前方から見た斜視図、図２は同じく別の例を示す後方から見た内部構造を示す斜視図である。
【００１２】
これらの図にあって１は電子レンジ本体を示している。図１で示す電子レンジ本体１にあって２は前面の開閉扉を示し、３はその開閉扉２の取っ手を示している。また、この電子レンジ本体１の筐体の前面で開閉扉２の向って右隣上部には画像表示部４が固設されている。
【００１３】
画像表示部４は例えば奥行等を必要としない液晶パネル等が使用され、その表示面はできる限り筐体の面と平滑になるよう設定され、凹凸を形成することがなく、手先や各種の物が引っ掛かってしまうことがないように図られている。
【００１４】
また、その画像表示部４の下方には後に詳述するテンキー５が配置されており、そのテンキー５及び画像表示部４の右サイドにはディジタル記録媒体としてのＤＶＤ６を出入させるスリット（挿入及び排出口）７が形成されている。このスリット７の下方にはＤＶＤ６のイジェクトボタン８が設けられている。
【００１５】
前記したＤＶＤ６には各種料理のレシピや各種の骨法が動画像として記録されており、このＤＶＤ６をスリット７に入れると、そのＤＶＤ６は内部のＤＶＤドライブ（プレーヤー）にセットされ、スタンバイ状態となり、テンキー５にあるスタートボタンを入力することで、画像表示部４にスタート画面を表出させる。なお、スタートに関してはＤＶＤ６をセットすることで自動的に画像表示部４にスタート画面が表出されるように設定することもできる。
【００１６】
スタート画面は各種の料理がコンテンツとして一覧に表示され（例えば、西洋料理、和食、中華料理等々）各人が欲する料理のレシピは、例えばそのコンテンツの中から西洋料理ならばテンキー「１」を押すことで、料理名がアイウエオ順やアルファベット順で列記表示され、その番号をテンキー５で選択することで、閲覧することができる。そのレシピの内容は１分間限定の動画で表示されるため、例えばハンバーグなら、挽き肉及び玉ネギ等のこね方、形の作り方、エアの抜き方等も別々に見ることができ、その焼き方も別途選択で見ることができることとなる。本実施例によれば、テンキー５の「２」から「９」までにはアルファベットが順次に割り振られており、その該当するキーによって即時に目的画像を表示させることができるようになっている。
【００１７】
また、図２として示す電子レンジ本体１には背面にＤＶＤ６の出入スリット７が形成されたものとなっている。９はスリット７が形成されたＤＶＤ６のドライブ（プレーヤー）を示している。この場合には、ＤＶＤ６の交換がやや面倒ともなるが、ドライブ９にセットしたまま密封状態とし、ユーザーにおける自由な操作を抑制することで、故障や誤動作等を未然に防止し、メンテナンス等も頻繁に行なう必要をなくすことができる。尚、図中１０はターンテーブル、１１はプラグを示している。
【００１８】
この図２として示す電子レンジ本体１にあってもＤＶＤ６の内容やその操作の方法は前記した場合と同様となる。
【００１９】
さらに、本考案に係る電子レンジ本体１に関し、内蔵されるドライブ９あるいはＤＶＤ６画像表示部４に関し、電子レンジ本体１内で発生させられる電磁波はシールドされるため、格別な悪影響を及ぼすことはないものとなっている。
【産業上の利用可能性】
【００２０】
本考案に係るレンジは上記のように構成されている。そのため、実施例として示す電子レンジのみならず、ガスレンジをはじめとする加熱調理器をはじめ、ジューサーやミキサー、コーヒーメーカー等の比較的小物となる民生用電気機器、それも台所に設備される調理関係の電気機器にも画面やディジタル記録媒体を小型化することで応用実施することができ、食品を貯蔵する電気冷蔵庫等にも広く応用実施することができる。また、ＤＶＤ６に代え、他のディジタル記録媒体を使用することも勿論可能である。
【図面の簡単な説明】
【００２１】
【図１】本考案を実施した電子レンジを示す前方から見た斜視図である。
【図２】別の例を示す後方から見た内部構造を示す斜視図である。
【符号の説明】
【００２２】
１    電子レンジ本体
２    開閉扉
３    取っ手
４    画像表示部
５    テンキー
６    ＤＶＤ
７    スリット
８    イジェクトボタン
９    ＤＶＤドライブ（プレーヤー）
１０  ターンテーブル
１１  プラグ
【図１】
0003123305.tif 000003
【図２】
0003123305.tif 000004